(57)【要約】【課題】  遊技球等の遊技媒体を不当に獲得するために遊技機の各部に対して行われる不正行為を検出するための検出回路によって、配線の断線状態及び配線の短絡状態の検出が、センサのスイッチ回路の種別にかかわらずすべて同時に実行でき、簡易な回路構成で汎用性を高め、コスト低減を図ることのできる遊技機用検出装置と、その検出装置を備えた遊技機を提供する。【解決手段】  検出装置１００は、磁界を検知したときにリードスイッチ５３の接点が閉じる（ＯＮ状態となる）ことによって作動する磁気センサ５２を含む不正検出部５０と、不正検出部５０からの出力電圧に基づき、公正な遊技が可能か否かを判定する遊技可否判定を行い、メイン基板２１のＣＰＵ２２へ判定結果を送信する電圧判定部６０とを備えている。センサ基板５１のセンサコネクタ５９とＩＣ基板６１のＩＣコネクタ６９とはハーネスＷを介して接続されている。【選択図】  図３
2011254978.tif 000002
【特許請求の範囲】
【請求項１】
所定条件の成立に応じて遊技球等の遊技媒体を払い出す遊技機に対し、その遊技媒体を不当に得る目的で行われる不正行為を検出するために設けられる遊技機用検出装置において、
前記遊技機に設置されて前記不正行為を検出したときに作動するセンサと、そのセンサの作動と連動するスイッチ回路とを含む不正検出部と、
その不正検出部のスイッチ回路とは配線を介して接続され、前記不正検出部からの出力電圧に基づき、前記遊技機において公正な遊技が可能か否かを判定する遊技可否判定を行い、遊技を司る制御部へ判定結果を送信する電圧判定部とを備え、
前記不正検出部は、
前記センサのスイッチ回路がＯＦＦ状態のときに第一の出力電圧を発生し、前記センサのスイッチ回路がＯＮ状態のときに第二の出力電圧を発生し、前記スイッチ回路のＯＦＦ・ＯＮとは無関係に、前記配線の断線状態のときに第三の出力電圧を発生し、同じく前記スイッチ回路のＯＦＦ・ＯＮとは無関係に、前記配線の短絡状態のときに第四の出力電圧を発生する電圧発生回路を構成する一方、
前記電圧判定部は、
前記第一ないし第四の出力電圧が入力される共通入力端子と、前記第一又は第二の出力電圧に応じた第一の判定信号を前記制御部へ送信する第一出力端子と、前記第三又は第四の出力電圧に応じた第二の判定信号を前記制御部へ送信する第二出力端子とを有し、
前記スイッチ回路のＯＦＦ状態又はＯＮ状態に基づく前記第一の判定信号と、前記配線の断線状態又は短絡状態に基づく前記第二の判定信号とが、前記電圧判定部から前記制御部へ個別に送信されることを特徴とする遊技機用検出装置。
【請求項２】
前記不正検出部は、前記スイッチ回路及び電圧判定部を接続する配線に関して１個のプルアップ抵抗と２個のプルダウン抵抗とを有し、
前記プルアップ抵抗は、一定電圧を供給する直流電源と前記配線との間に介装される一方、
２個のうち一方のプルダウン抵抗は、前記配線に対して前記プルアップ抵抗と並列に接続されるとともに、他方のプルダウン抵抗は、前記スイッチ回路と直列接続された形態にて、前記配線に対して前記プルアップ抵抗と並列に接続されている請求項１に記載の遊技機用検出装置。
【請求項３】
前記他方のプルダウン抵抗は、並列接続された複数のスイッチ回路と直列状に接続され、
前記複数のスイッチ回路のＯＮ・ＯＦＦは、対応するセンサの作動・非作動との連動関係において共通するものが用いられている請求項２に記載の遊技機用検出装置。
【請求項４】
前記電圧判定部は単一にて構成される一方、前記不正検出部は複数設けられ、
前記電圧判定部には、前記複数の不正検出部が、その不正検出部毎に個別に設けられた前記配線を介してそれぞれ接続され、
前記電圧判定部は、前記共通入力端子及び前記第一出力端子を各不正検出部毎に有するとともに、前記第二出力端子をすべての不正検出部に共用する形で有している請求項１ないし３のいずれか１項に記載の遊技機用検出装置。
【請求項５】
請求項１ないし４のいずれか１項に記載の遊技機用検出装置を備えたことを特徴とする遊技機。
【発明の詳細な説明】
【技術分野】
【０００１】
本発明は、遊技機に対する不正行為や配線不良を検出するための遊技機用検出装置と、その検出装置を備えた遊技機に関する。
【背景技術】
【０００２】
遊技機から払い出される遊技球等の遊技媒体は遊技者に利益を付与することになるため、遊技媒体を不当に得る目的で遊技機に対して種々の不正行為が行われやすい。例えば、一般によく知られた「セブン機」と称される第１種パチンコ機では、始動口に入賞すると、その入賞に対して賞球が払い出されるとともに当否抽選が行われ、その抽選結果が当選（大当たり）であると、さらに多くの賞球を獲得できる。したがって、強力な永久磁石を使用し、その磁力でガラス扉越しに吸着した遊技球を始動口へ誘導して違法に入賞させ、賞球を不正に獲得する違法行為を誘発しやすい。そこで、リードスイッチからなる磁気センサ（磁石センサ）を始動口付近に設置し、磁界（磁気、磁力）を検知したときリードスイッチの接点が閉じる（ＯＮ状態となる）ことによって、磁気センサが作動して不正行為を検出する技術が開発されている（特許文献１，２参照）。
【０００３】
なお、ガラス枠を無理にこじ開けて隙間から挿入した針金等によって始動口が開放されるように操作したり、遊技機に振動や衝撃を与えることによって遊技球を始動口に入賞させたりする不正行為や、遊技を司る制御部（ＣＰＵ等）に対して違法電波を発射し、抽選結果が有利になるように制御信号を阻害（妨害）したりする不正行為を検出する技術も開発されている（特許文献３，非特許文献１参照）。
【先行技術文献】
【特許文献】
【０００４】
【特許文献１】特開２００８−１２５８１６号公報
【特許文献２】特開２００５−１３７８７７号公報
【特許文献３】特開２００２−２８２５０５号公報
【非特許文献】
【０００５】
【非特許文献１】特許庁監修「平成１８年度標準技術集  遊技機及びその関連技術」“第３部周辺設備  ５−４−３−１  セキュリティーセンサーの概要と種類”（２００７年３月１４日特許庁ホームページにて公表）
【０００６】
これらのうち、特許文献１，２に記載された磁気センサのスイッチ回路（リードスイッチ）は、磁気センサが非作動状態（磁界非検知状態）のときにＯＦＦ状態（接点開放）となり、作動状態（磁界検知状態）のときにＯＮ状態（接点閉鎖）となるノーマルオープン回路（常開回路）で構成されている。したがって、磁気センサのスイッチ回路（リードスイッチ）がＯＦＦ状態からＯＮ状態になることによって、遊技球を始動口へ違法誘導して入賞させようとする不正行為が検出できる。
【０００７】
しかしながら、検出回路において、コネクタ接続不良（コネクタの引き抜き）状態や接続遮断（配線の切断）状態とする不正行為が行われても、スイッチ回路ＯＦＦ状態（すなわち正常状態）との区別がつかないために、そのままでは故意にコネクタを引き抜き状態としたり、配線を断線状態としたりする不正行為を検出できない。のみならず、コネクタが引き抜かれたり配線が切断されたりする結果、スイッチ回路がＯＮ状態（すなわちセンサ作動状態）となっても、検出回路から信号出力がなされなくなってしまう。そのために、遊技球を始動口へ違法誘導して入賞させようとする不正行為を検出するための検出回路とは別に、故意にコネクタを引き抜き状態としたり、配線を断線状態としたりする不正行為を検出するための検出回路を併設する必要があり、全体の回路構成が複雑になる。
【０００８】
また、特許文献１，２に記載された磁気センサのスイッチ回路を、磁気センサが非作動状態（磁界非検知状態）のときにＯＮ状態（接点閉鎖）となり、作動状態（磁界検知状態）のときにＯＦＦ状態（接点開放）となるノーマルクローズ回路（常閉回路）で構成した場合には、磁気センサのスイッチ回路がＯＦＦ状態からＯＮ状態になることによって、遊技球を始動口へ違法誘導して入賞させようとする不正行為が検出できる。
【０００９】
しかしながら、検出回路において、故意に配線を短絡（ショート）状態とする不正行為が行われても、スイッチ回路ＯＮ状態（すなわち正常状態）との区別がつかないために、そのままでは故意に配線を短絡状態とする不正行為を検出できない。のみならず、配線が短絡される結果、スイッチ回路がＯＦＦ状態（すなわちセンサ作動状態）となっても、検出回路から信号出力がなされなくなってしまう。そのために、遊技球を始動口へ違法誘導して入賞させようとする不正行為を検出するための検出回路とは別に、故意に配線を短絡状態とする不正行為を検出するための検出回路を併設する必要があり、全体の回路構成が複雑になる。
【００１０】
このように、従来装置の回路構成では、センサのスイッチ回路がノーマルオープン回路（常開回路）で構成される場合には、故意にコネクタを引き抜き状態とする不正行為や配線を断線状態とする不正行為を同時に検出できず、ノーマルクローズ回路（常閉回路）で構成される場合には、故意に配線を短絡状態とする不正行為を同時に検出できない。ところで、センサのスイッチ回路において、ノーマルオープン回路とノーマルクローズ回路とは、選択されたセンサの種別に応じて使い分けされる。したがって、上記した不具合を解消するためには、遊技球を始動口へ違法誘導して入賞させようとする不正行為を検出するための検出回路の他に、故意にコネクタを引き抜き状態としたり、配線を断線状態としたりする不正行為を検出するための検出回路と、故意に配線を短絡状態とする不正行為を検出するための検出回路とを常設しなければならなくなり、非常に複雑な回路構成になって汎用性に欠ける。このことは、磁気センサに限らず、遊技球（遊技媒体）を不当に得る目的で行われる不正行為を検出するためのセンサ全般に当てはまる。
【発明の概要】
【発明が解決しようとする課題】
【００１１】
そこで本発明の課題は、遊技球等の遊技媒体を不当に獲得するために遊技機の各部に対して行われる不正行為を検出するための検出回路によって、コネクタの引抜状態を含む配線の断線状態、及び配線の短絡状態の検出が、センサのスイッチ回路の種別にかかわらずすべて同時に実行でき、簡易な回路構成で汎用性を高め、コスト低減を図ることのできる遊技機用検出装置と、その検出装置を備えた遊技機を提供することにある。
【課題を解決するための手段及び発明の効果】
【００１２】
上記課題を解決するために、本発明の遊技機用検出装置は、
所定条件の成立に応じて遊技球等の遊技媒体を払い出す遊技機に対し、その遊技媒体を不当に得る目的で行われる不正行為を検出するために設けられる遊技機用検出装置において、
前記遊技機に設置されて前記不正行為を検出したときに作動するセンサと、そのセンサの作動と連動するスイッチ回路とを含む不正検出部と、
その不正検出部のスイッチ回路とは配線を介して接続され、前記不正検出部からの出力電圧に基づき、前記遊技機において公正な遊技が可能か否かを判定する遊技可否判定を行い、遊技を司る制御部へ判定結果を送信する電圧判定部とを備え、
前記不正検出部は、
前記センサのスイッチ回路がＯＦＦ状態のときに第一の出力電圧を発生し、前記センサのスイッチ回路がＯＮ状態のときに第二の出力電圧を発生し、前記スイッチ回路のＯＦＦ・ＯＮとは無関係に、前記配線の断線状態のときに第三の出力電圧（例えば断線出力電圧）を発生し、同じく前記スイッチ回路のＯＦＦ・ＯＮとは無関係に、前記配線の短絡状態のときに第四の出力電圧（例えば短絡出力電圧）を発生する電圧発生回路を構成する一方、
前記電圧判定部は、
前記第一ないし第四の出力電圧が入力される共通入力端子と、前記第一又は第二の出力電圧に応じた第一の判定信号を前記制御部へ送信する第一出力端子と、前記第三又は第四の出力電圧に応じた第二の判定信号を前記制御部へ送信する第二出力端子とを有し、
前記スイッチ回路のＯＦＦ状態又はＯＮ状態に基づく前記第一の判定信号と、前記配線の断線状態又は短絡状態に基づく前記第二の判定信号とが、前記電圧判定部から前記制御部へ個別に送信されることを特徴とする。
【００１３】
このように、不正検出部は、互いに異なる４個の出力電圧を発生する電圧発生回路に構成され、電圧判定部は、それら第一ないし第四の出力電圧に基づく遊技可否判定の結果として第一及び第二の判定信号を出力する。これにより、第一の判定信号によって、遊技球等の遊技媒体を不当に獲得しようとする不正行為を検出できるとともに、第二の判定信号によって、故意に配線（ハーネス）を断線状態（コネクタの引抜状態を含む）にしたり、配線を短絡状態にしたりする不正行為を同時に検出できる。しかも、センサのスイッチ回路がノーマルオープン回路（常開回路）及びノーマルクローズ回路（常閉回路）のいずれで構成されていてもすべての遊技可否判定が同時に実行でき、スイッチ回路の種別によって回路構成を変更したり切り換えたりする必要がないため、簡易な回路構成で汎用性を高め、コスト低減を図ることができる。
【００１４】
また、第二の判定信号は第一の判定信号とは別の出力端子（第二出力端子）から制御部へ送信されるので、故意（配線に対する不正行為）ではなく配線の劣化（耐久性）により断線状態や短絡状態になった場合でも、遊技球等の遊技媒体を不当に獲得しようとして遊技機の各部に対して行われる不正行為とは区別して検出できる。
【００１５】
なお、不正検出部から制御部へ送信される第一の判定信号は、スイッチ回路の種別によりスイッチ回路のＯＦＦ状態とＯＮ状態とで異なる内容（いずれか一方で正常状態、他方で異常発生状態）を表す。これに対して、不正検出部から制御部へ送信される第二の判定信号は、断線状態と短絡状態とで異なる内容の信号（断線信号と短絡信号）であっても、同じ内容の信号（ともに配線不良信号）であってもよい。
【００１６】
そして、異常発生状態を表す第一の判定信号（異常発生信号）が、不正検出部の第一出力端子から制御部へ送信されたとき、あるいは断線状態又は短絡状態を表す第二の判定信号（断線信号、短絡信号又は配線不良信号）が、不正検出部の第二出力端子から制御部へ送信されたときには、例えば次のような措置を講じることができる。
（Ａ）制御部から、スピーカや液晶表示部で警報したり発射装置を停止したりするための制御信号を出力する。
（Ｂ）制御部（及び、制御部とホールコンピュータとの間のデータやコマンドの送受信を中継する中継装置）を介して、第一又は第二の判定信号をさらにホールコンピュータへ送信する。ホールコンピュータから、場内のスピーカ、島のランプ、中継装置の表示部等で警報するための制御信号を出力する。
【００１７】
その際、センサのスイッチ回路を、センサが非作動状態のときにＯＦＦ状態となり、作動状態のときにＯＮ状態となるノーマルオープン回路（常開回路）で構成する場合には、
電圧判定部は、
不正検出部から第一の出力電圧（正常出力電圧）が共通入力端子に入力されたとき、第一出力端子から第一の判定信号として正常信号を制御部へ送信するとともに、
不正検出部から第二の出力電圧（異常出力電圧）が共通入力端子に入力されたとき、第一出力端子から第一の判定信号として異常発生信号を制御部へ送信することができる。
【００１８】
また、センサのスイッチ回路を、センサが非作動状態のときにＯＮ状態となり、作動状態のときにＯＦＦ状態となるノーマルクローズ回路（常閉回路）で構成する場合には、
電圧判定部は、
不正検出部から第一の出力電圧（異常出力電圧）が共通入力端子に入力されたとき、第一出力端子から第一の判定信号として異常発生信号を制御部へ送信するとともに、
不正検出部から第二の出力電圧（正常出力電圧）が共通入力端子に入力されたとき、第一出力端子から第一の判定信号として正常信号を制御部へ送信することができる。
【００１９】
このように、電圧判定部は、共通入力端子への入力が第二の出力電圧であるとき（センサのスイッチ回路がノーマルオープン回路の場合）、又は共通入力端子への入力が第一の出力電圧であるとき（センサのスイッチ回路がノーマルクローズ回路の場合）に異常発生信号を送信すればよいので、回路構成を大幅に簡素化する（例えば電圧判定用ＩＣにおける制御プログラムの一部修正）ことができる。したがって、センサのスイッチ回路の種別に対する汎用性を高め、検出装置としてのコスト低減を容易に図ることができる。
【００２０】
なお、スイッチ回路がノーマルオープン回路又はノーマルクローズ回路で構成され、リレー接点等の機械式接点を有するセンサの一例として、以下のものを例示できる。
（１）始動口を始めとする入賞口付近に設置され、磁界（磁気、磁力）を検知する磁気センサ（リードスイッチ）；
（２）施錠装置付近に設置され、ガラス扉が開放された（内枠との間に隙間が形成された）ことを検知するドアセンサ（マイクロスイッチ）；
（３）遊技機の機体適所に設置され、機体に通常時よりも大きな振動や衝撃が加えられた（叩いたり蹴ったりされた）ことを検知する振動・衝撃センサ（マイクロスイッチ）。
【００２１】
あるいは、センサのスイッチ回路を、バイポーラＮＰＮ型トランジスタのオープンコレクタ出力回路（エミッタホロワ回路や共通コレクタと呼ぶ場合もある）で構成することもできる。
【００２２】
このように、トランジスタのスイッチング機能を用いてセンサのスイッチ回路を構成することができるので、遊技機に対する直接的な不正行為を検出するために、さらに広範なセンサを用いることができる。なお、トランジスタのスイッチング機能を用いる場合には、センサのスイッチ回路は、センサの作動・非作動とトランジスタのＯＮ・ＯＦＦとの連動関係によって、ノーマルオープン回路（常開回路）にもノーマルクローズ回路（常閉回路）にもなる。
【００２３】
なお、スイッチ回路がバイポーラＮＰＮ型トランジスタのオープンコレクタ出力回路で構成されるセンサの一例として、以下のものを例示できる。
（４）遊技を司る制御部（ＣＰＵ等）付近に設置され、違法電波が発射されたことを電界強度で検知する電波センサ；
（５）役物の可動部又はその駆動モータ付近に設置され、それらの原点位置、作動停止位置等を検知するフォトセンサ（光電スイッチ）。
【００２４】
具体的には、不正検出部は、スイッチ回路及び電圧判定部を接続する配線に関して１個のプルアップ抵抗と２個のプルダウン抵抗とを有し、
プルアップ抵抗は、一定電圧を供給する直流電源と配線との間に介装される一方、
２個のうち一方のプルダウン抵抗は、配線に対してプルアップ抵抗と並列に接続されるとともに、他方のプルダウン抵抗は、スイッチ回路と直列接続された形態にて、配線に対してプルアップ抵抗と並列に接続される場合がある。
【００２５】
このように、簡単な回路によって不正検出部を構成できるので、上記検出装置を安価に提供でき、汎用性をさらに高めることができる。また、これらのプルアップ抵抗やプルダウン抵抗に可変抵抗器を用いることによって、第一ないし第四の出力電圧を区分けするための閾値が容易に設定（又は変更）できる。
【００２６】
その際、他方のプルダウン抵抗を、並列接続された複数のスイッチ回路と直列状に接続し、
複数のスイッチ回路のＯＮ・ＯＦＦは、対応するセンサの作動・非作動との連動関係において共通するものを用いることが可能である。
【００２７】
これによって、スイッチ回路のＯＮ・ＯＦＦが、対応するセンサの作動・非作動との連動関係において共通する場合、言い換えれば、センサのスイッチ回路の種別が共通（ノーマルオープン回路で統一又はノーマルクローズ回路で統一）する場合に、同種のセンサに関して並列接続された複数のスイッチ回路を不正検出部に組み込むことができる。したがって、例えば多数の入賞口に対し個々にセンサを設置する場合に、安価に回路構成して各入賞口に対する不正行為を網羅的に（横断的に）一括して検出することができる。
【００２８】
さらに、電圧判定部は単一にて構成される一方、不正検出部は複数設けられ、
電圧判定部には、複数の不正検出部が、その不正検出部毎に個別に設けられた配線を介してそれぞれ接続され、
電圧判定部は、共通入力端子及び第一出力端子を各不正検出部毎に有するとともに、第二出力端子をすべての不正検出部に共用する形で有している場合がある。
【００２９】
上記（１）〜（５）のようにセンサの検知対象（検知機能）が異なる場合や、センサのスイッチ回路の種別が不一致（ノーマルオープン回路とノーマルクローズ回路とが混在）である場合に、異種のセンサに対して複数の不正検出部を要しても電圧判定部は単一構成ですみ、簡素な回路構成を維持できる。しかも、第二出力端子はすべての不正検出部に対して共用化されるので、電圧判定部を一層簡素に回路構成できる。なお、第二の判定信号は、断線状態・短絡状態にかかわらずすべて配線不良信号として送信すればよい。
【００３０】
そして、上記の課題を解決するために、本発明の遊技機は、
以上で述べた遊技機用検出装置を備えたことを特徴とする。
【００３１】
これによって、遊技球等の遊技媒体を不当に獲得するために遊技機の各部に対して行われる不正行為を検出するための検出回路によって、コネクタの引抜状態を含む配線の断線状態、及び配線の短絡状態の検出が、センサのスイッチ回路の種別にかかわらずすべて同時に実行できる。したがって、簡易な回路構成で遊技機の汎用性を高め、コスト低減を図ることができる。また、第一出力端子から制御部へ送信される第一の判定信号によって、遊技球等の遊技媒体を不当に獲得しようとして遊技機の各部に対して行われる不正行為を検出できるとともに、第二出力端子から制御部へ送信される第二の判定信号によって、故意に行われた配線に対する不正行為のみならず、配線の劣化（耐久性）により断線状態や短絡状態になった場合でも検出できる。なお、「遊技機」には、パチンコ機、アレパチ機等の弾球遊技機や、スロットマシン、パチスロ機等の回胴式遊技機が含まれる。
【図面の簡単な説明】
【００３２】
【図１】本発明に係る検出装置を備えた遊技機の一実施例としての第１種パチンコ機の正面模式図。
【図２】図１のパチンコ機の電気的構成を示すブロック図。
【図３】本発明に係る検出装置の一例を示す回路図。
【図４】図１のパチンコ機のメインフローチャート。
【図５】４値判定ＩＣによる遊技可否判定処理の一例を示すフローチャート。
【図６】図５のフローチャートに基づく遊技可否判定の結果をマトリックスで表す説明図。
【図７】図３の検出装置の変形例を示す回路図。
【図８】図５の変形例を示すフローチャート。
【図９】図８のフローチャートに基づく遊技可否判定の結果をマトリックスで表す説明図。
【図１０】本発明に係る検出装置の他の例を示す回路図。
【図１１】４値判定ＩＣによる遊技可否判定処理の他の例を示すフローチャート。
【図１２】図１１のフローチャートに基づく遊技可否判定の結果をマトリックスで表す説明図。
【発明を実施するための形態】
【００３３】
（実施例１）
以下、本発明の実施の形態につき図面に示す実施例を参照して説明する。図１は、本発明に係る検出装置を備えた遊技機の一実施例としての第１種パチンコ機の正面模式図である。第１種パチンコ機１（以下単にパチンコ機ともいう）は、施錠装置１ｂにより内枠１ａに対して回動開閉自在に取り付けられた透明のガラス扉２と、内枠１ａの内側に配置されてガラス扉２によって覆われる遊技盤３とを有する。遊技盤３の下方には、玉供給皿４が設けられている。玉供給皿４に準備された玉Ｂ（遊技球；遊技媒体）は、発射操作ハンドル５の軸線周りでの回転操作に基づいて玉Ｂを打撃するハンマ４３ａ、電動モータやカム等の伝動装置からなりハンマ４３ａを駆動するための駆動機構（図示せず）等を含んで構成される発射装置４３によって、遊技盤３に向けて発射される。発射された玉Ｂは、２本のレール９，９の間を通って遊技盤３に形成された円形状の遊技領域３ａに達し、遊技領域３ａの面上を落下する。
【００３４】
遊技領域３ａの面上には、その中央付近に液晶表示部６が配設されている。液晶の代わりに発光素子を用いた表示装置や、リール式の表示装置も採用できる。液晶表示部６では、例えば３桁のアラビア数字により変動表示した後大当たり（特賞）又は外れの確定表示が行われたり、変動表示の途中においてリーチとなった場合にリーチの演出表示が行われたりする。
【００３５】
液晶表示部６の下方には、玉Ｂの入賞により液晶表示部６の変動表示を開始させるスタートチャッカ７（始動口）が配置されている。スタートチャッカ７のさらに下方には、液晶表示部６で大当たりの確定表示が行なわれたときに開口して大当たり状態となるアタッカ８（大入賞口）が配置されている。なお、１０は入賞せずに落下した玉Ｂを回収するために遊技領域３ａの最下部に設けられたアウト口である。
【００３６】
図２にパチンコ機１の遊技制御装置２０の構成をブロック図で示す。この遊技制御装置２０はメイン基板２１を備え、このメイン基板２１には、搭載されたＣＰＵ２２、遊技プログラム２３ａ等を格納したＲＯＭ２３、ワークエリアとしてのＲＡＭ２４、入出力回路２５等が搭載されている。ＣＰＵ２２は、例えば当否抽選を実行する当否抽選手段（抽選手段）、アタッカ８の開閉処理を実行するアタッカ開閉制御手段（大当たり発生手段）等の諸機能を有し、遊技全体を司る制御部を構成している（詳細については後述する）。
【００３７】
また、メイン基板２１には電源回路３１の他に次のものが接続され、入出力回路２５を介して信号入力されている。
・スタート入賞検出器３２：スタートチャッカ７に付設されたスタート入賞検出器３２からのスタート入賞検知信号；
・アタッカ入賞検出器３３：アタッカ８に付設されたアタッカ入賞検出器３３からのアタッカ入賞検知信号；
・電圧判定部６０：玉Ｂを不当に獲得しようとする不正行為を検出するために設けられた遊技機用検出装置（以下単に検出装置ともいう）１００の電圧判定部６０（図３参照）にて行われた遊技可否判定の判定信号（詳細については後述する）。
【００３８】
さらに、メイン基板２１には次のものが接続され、入出力回路２５を介して信号出力されている。
・アタッカ開閉用ソレノイド３４：アタッカ８を開放処理（このとき通電ＯＮ＝励磁）及び閉鎖処理（このとき通電ＯＦＦ＝消磁）するためのアタッカ開閉用ソレノイド３４への制御信号；
・液晶表示部６（可変表示手段）：表示制御基板２６を介して、当否抽選結果に基づく図柄を変動表示した後大当たり又は外れの確定表示を行なったり、変動表示の途中においてリーチとなった場合にリーチの演出表示を行なったりするための制御信号；
【００３９】
・スピーカ４０：音声制御基板２７を介してスピーカ４０を駆動させるための制御信号；
・ランプ４１：ランプ制御基板２８を介してランプ４１を駆動させるための制御信号；
・払出装置４２：払出制御基板２９を介して賞球・貸球の払出装置４２を駆動させるための制御信号；
・発射装置４３：発射操作ハンドル５及び発射制御基板３０を介して遊技球の発射装置４３（ハンマ４３ａ等）を駆動させるための制御信号。
【００４０】
図１に示すパチンコ機１において、主要部の作動は以下のように表わされる。遊技盤３に配置されたスタートチャッカ７を通過する遊技球をスタート入賞検出器３２が検出したことをスタート条件として、ＣＰＵ２２（当否抽選手段（抽選手段）；図２参照）による当否抽選が実行される。この当否抽選は、一般に、取得した乱数値と大当たり乱数（特賞乱数）とが一致するか否かの判定により行なわれる。そして、液晶表示部６に、当否抽選結果に基づく図柄を変動表示した後大当たり（特賞）又は外れの確定表示が行なわれ、また変動表示の途中においてリーチとなった場合（例えば、図１のように初めに停止表示した２桁が揃った場合）にはリーチの演出表示が行なわれる。
【００４１】
当否抽選の結果が大当たりであると、液晶表示部６には変動表示の後大当たり態様の図柄（例えば２２２等のゾロ目）が確定表示され大当たり状態（大当たり発生）となる。大当たりが発生すると、アタッカ開閉用ソレノイド３４（図２参照）を駆動（励磁）してアタッカ８を開放状態（第一状態）とする。そして、この開放状態から所定のラウンド終了条件のもとでアタッカ８が閉鎖状態（第二状態）に至るまでを１ラウンドとし、大当たりは所定の最大継続可能ラウンド数（例えば１５ラウンド）を上限として所定のラウンド更新条件が満たされる限り継続する。なお、スタートチャッカ７やアタッカ８に玉Ｂが入賞したときには、所定個数の賞球が払出装置４２（図２参照）から玉供給皿４（図１参照）へ払い出される。
【００４２】
図３は本発明に係る検出装置の一例を示す回路図である。図３に示す検出装置１００は、スタートチャッカ７の近傍に設置され（図１参照）、磁界（磁気、磁力）を検知したときにリードスイッチ５３（スイッチ回路）の接点が閉じる（ＯＮ状態となる）ことによって作動する磁気センサ５２（センサ）を含む不正検出部５０と、不正検出部５０からの出力電圧に基づき、パチンコ機１において公正な遊技が可能か否かを判定する遊技可否判定を行い、メイン基板２１のＣＰＵ２２へ判定結果を送信する電圧判定部６０とを備えている。不正検出部５０のリードスイッチ５３はセンサ基板５１（検出回路基板）に実装され、電圧判定部６０を構成する４値判定ＩＣ６２はＩＣ基板６１（判定回路基板）に実装されている。また、センサ基板５１のセンサコネクタ５９（検出回路コネクタ）とＩＣ基板６１のＩＣコネクタ６９（判定回路コネクタ）とはハーネスＷ（配線）を介して接続されている。つまり、ハーネスＷは、センサ基板５１に実装されたリードスイッチ５３と、ＩＣ基板６１に実装された４値判定ＩＣ６２とを接続している。
【００４３】
具体的には、不正検出部５０は、ハーネスＷにより接続された１個のプルアップ抵抗ＲＵ（ＩＣ基板６１に実装されている）と２個のプルダウン抵抗ＲＤ１，ＲＤ２（それぞれセンサ基板５１に実装されている）とを有している。このうち、プルアップ抵抗ＲＵ（例えば１ｋΩ）は、電源回路３１（図２参照）から一定の電源電圧ＶＰＳ（例えば１２Ｖ）を供給された直流電源ＰＳとハーネスＷとの間に介装されている。また、第一プルダウン抵抗ＲＤ１（例えば１０ｋΩ）は、ハーネスＷに対してプルアップ抵抗ＲＵと並列に接続され、第二プルダウン抵抗ＲＤ２（例えば１ｋΩ）は、リードスイッチ５３と直列接続された形態にて、ハーネスＷに対してプルアップ抵抗ＲＵと並列に接続されている。
【００４４】
すでに述べたように、リードスイッチ５３は、磁気センサ５２が非作動状態のときにＯＦＦ状態となり、作動状態のときにＯＮ状態となるノーマルオープン回路（常開回路）を構成している。したがって、不正検出部５０は次の４つの出力電圧を発生する電圧発生回路を構成する。
【００４５】
（１）リードスイッチ５３がＯＦＦ状態のときには、不正検出部５０は、数式１で表される正常出力電圧Ｖ１（第一の出力電圧；高電位出力電圧；この例では１０．９Ｖ）を発生する。
（２）リードスイッチ５３がＯＮ状態のときには、不正検出部５０は、数式２で表される異常出力電圧Ｖ２（第二の出力電圧；低電位出力電圧；この例では５．７Ｖ）を発生する。
（３）ハーネスＷが断線状態、又はコネクタ５９，６９が引抜状態のときには、不正検出部５０は、リードスイッチ５３のＯＦＦ・ＯＮとは無関係に、断線出力電圧Ｖ３（第三の出力電圧；この例では１２Ｖ）を発生する。
（４）ハーネスＷが短絡状態のときには、不正検出部５０は、リードスイッチ５３のＯＦＦ・ＯＮとは無関係に、短絡出力電圧Ｖ４（第四の出力電圧；この例では０Ｖ）を発生する。
【００４６】
【数１】
2011254978.tif 000003
【００４７】
【数２】
2011254978.tif 000004
【００４８】
このように、プルアップ抵抗ＲＵは、電源電圧ＶＰＳと同等の出力電圧（Ｖ３）を確保する機能を有している。また、第一プルダウン抵抗ＲＤ１は高電位出力電圧Ｖ１を得る際に主要な機能を有し、第二プルダウン抵抗ＲＤ２は低電位出力電圧Ｖ２を得る際に主要な機能を有する。
【００４９】
電圧判定部６０の４値判定ＩＣ６２は、１個の共通入力端子６３と２個の出力端子６４，６５とを有する。上記４つの出力電圧Ｖ１〜Ｖ４は４値判定ＩＣ６２の共通入力端子６３に入力される。なお、プルアップ抵抗ＲＵは、ＩＣコネクタ６９と共通入力端子６３（４値判定ＩＣ６２）とを結ぶ結線に対して並列接続されている。そして、電圧判定部６０（４値判定ＩＣ６２）は、次のようにして遊技可否判定を行う。
【００５０】
（Ａ）不正検出部５０から正常出力電圧Ｖ１が共通入力端子６３に入力されたとき、第一出力端子６４から第一の判定信号として正常信号（例えば「０」）をＣＰＵ２２（メイン基板２１）へ送信する。
（Ｂ）不正検出部５０から異常出力電圧Ｖ２が共通入力端子６３に入力されたとき、第一出力端子６４から第一の判定信号として異常発生信号（例えば「１」）をＣＰＵ２２（メイン基板２１）へ送信する。
（Ｃ）不正検出部５０から断線出力電圧Ｖ３が共通入力端子６３に入力されたとき、第二出力端子６５から第二の判定信号として配線不良信号（例えば「１」）をＣＰＵ２２（メイン基板２１）へ送信する。
（Ｄ）不正検出部５０から短絡出力電圧Ｖ４が共通入力端子６３に入力されたとき、第二出力端子６５から第二の判定信号として配線不良信号（例えば「１」）をＣＰＵ２２（メイン基板２１）へ送信する。
なお、この実施例では、（Ｃ），（Ｄ）ともに配線不良信号を送信するが、（Ｃ）の場合に断線信号（例えば「０」）、（Ｄ）の場合に短絡信号（例えば「１」）を送信してもよい。
【００５１】
また、これらの（Ａ）〜（Ｄ）の遊技可否判定を行うために、出力電圧Ｖ１〜Ｖ４に対して複数（ここでは３つ）の閾値電圧ＶＳ１，ＶＳ２，ＶＳ３が設定されている（図６参照）。
・第一閾値電圧ＶＳ１（例えば１Ｖ）：短絡出力電圧Ｖ４と異常出力電圧Ｖ２との間に設定される。
・第二閾値電圧ＶＳ２（例えば６Ｖ）：異常出力電圧Ｖ２と正常出力電圧Ｖ１との間に設定される。
・第三閾値電圧ＶＳ３（例えば１１Ｖ）：正常出力電圧Ｖ１と断線出力電圧Ｖ３との間に設定される。
【００５２】
次に、図４に示すフローチャートにより、遊技プログラム２３ａ（図２参照）で実行されるメインフローの概要を説明する。図４のＳ１において玉Ｂがスタートチャッカ７を通過したことをスタート入賞検出器３２が検出すると（Ｓ１でＹＥＳ）、Ｓ２の乱数取得処理サブルーチンを実行する。Ｓ３において、Ｓ２で取得した乱数値に基づいて液晶表示部６での図柄変動表示が開始される。Ｓ４にてリーチフラグをチェックし、リーチフラグが「１」であれば（Ｓ４でＹＥＳ）、Ｓ５のリーチ演出処理サブルーチンを実行する。Ｓ６で大当たりフラグが「１」であるかを確認する。大当たりフラグが「１」であれば（Ｓ６でＹＥＳ）、Ｓ７の大当たり処理サブルーチンを実行し、大当たりフラグが「１」でなければ（Ｓ６でＮＯ）、Ｓ８のはずれ処理サブルーチンを実行する。
【００５３】
次に、図５に示すフローチャートにより、４値判定ＩＣによる遊技可否判定処理を説明する。図６は４値判定ＩＣ６２による遊技可否判定の結果をマトリックスで表したものである。図４で説明した遊技中において、不正検出部５０から４値判定ＩＣ６２の共通入力端子６３には、４つの出力電圧Ｖ１〜Ｖ４のうちのいずれかが入力されている。
【００５４】
図５のＳ１１にて、４値判定ＩＣ６２は、共通入力端子６３の入力電圧値が第三閾値電圧ＶＳ３（１１Ｖ）を上回るか否かを確認する。このときの入力電圧値が第三閾値電圧ＶＳ３を上回っていれば（Ｓ１１でＹＥＳ）、不正行為によりハーネスＷが断線状態（又はコネクタ５９，６９が引抜状態）とされ、共通入力端子６３に断線出力電圧Ｖ３（１２Ｖ）が入力されたと判定して、Ｓ１２にて第二出力端子６５から配線不良信号（「１」）を出力する。入力電圧値が第三閾値電圧ＶＳ３以下であれば（Ｓ１１でＮＯ）、Ｓ１３にて共通入力端子６３の入力電圧値が第一閾値電圧ＶＳ１（１Ｖ）を下回るか否かを確認する。このときの入力電圧値が第一閾値電圧ＶＳ１を下回っていれば（Ｓ１３でＹＥＳ）、不正行為によりハーネスＷが短絡状態とされ、共通入力端子６３に短絡出力電圧Ｖ４（０Ｖ）が入力されたと判定して、Ｓ１２にて第二出力端子６５から配線不良信号（「１」）を出力する。
【００５５】
入力電圧値が第一閾値電圧ＶＳ１以上であれば（Ｓ１３でＮＯ）、Ｓ１４にて共通入力端子６３の入力電圧値が第二閾値電圧ＶＳ２（６Ｖ）を下回るか否かを確認する。このときの入力電圧値が第二閾値電圧ＶＳ２を下回っていれば（Ｓ１４でＹＥＳ）、不正行為により磁気センサ５２が作動して、共通入力端子６３に異常出力電圧Ｖ２（５．７Ｖ）が入力されたと判定して、Ｓ１５にて第一出力端子６４から異常発生信号（「１」）を出力する。入力電圧値が第二閾値電圧ＶＳ２以上であれば（Ｓ１４でＮＯ）、磁気センサ５２は非作動で、共通入力端子６３に正常出力電圧Ｖ１（１０．９Ｖ）が入力されたと判定して、Ｓ１６にて第一出力端子６４から正常信号（「０」）を出力する。
【００５６】
図６において、異常発生信号が電圧判定部６０の第一出力端子６４からＣＰＵ２２（メイン基板２１）へ送信されたとき、あるいは配線不良信号が電圧判定部６０の第二出力端子６５からＣＰＵ２２へ送信されたときには、ＣＰＵ２２から、発射装置４３を停止するための制御信号を出力してもよい（図２参照）。また、ＣＰＵ２２から、スピーカ４０や液晶表示部６で警報するための制御信号を出力してもよい（図２参照）。その際、異常発生信号を受信した場合と、配線不良信号を受信した場合とで警報内容を変更するとよい。
【００５７】
このように、不正検出部５０は、互いに異なる４個の出力電圧Ｖ１〜Ｖ４を発生する電圧発生回路に構成され、電圧判定部６０は、それら４個の出力電圧Ｖ１〜Ｖ４に基づく遊技可否判定の結果として第一及び第二の判定信号を出力する。これにより、第一の判定信号によって、玉Ｂを不当に獲得しようとする不正行為を検出できるとともに、第二の判定信号によって、故意にハーネスＷを断線状態（コネクタの引抜状態を含む）にしたり、ハーネスＷを短絡状態にしたりする不正行為を同時に検出できる。しかも、すべての遊技可否判定が同時に実行でき、回路構成を変更したり切り換えたりする必要がないため、簡易な回路構成で汎用性を高め、コスト低減を図ることができる。
【００５８】
また、第二の判定信号は第一の判定信号とは別の第二出力端子６５からＣＰＵ２２（メイン基板２１）へ送信されるので、故意（ハーネスＷに対する不正行為）ではなくハーネスＷの劣化（耐久性）により断線状態や短絡状態になった場合でも、玉Ｂを不当に獲得しようとしてパチンコ機１の各部に対して行われる不正行為とは区別して検出できる。
【００５９】
（変形例）
図７は、図３（実施例１）の検出装置の変形例を示す回路図、図８は図５（実施例１）の変形例を示すフローチャート、図９は図８のフローチャートに基づく遊技可否判定の結果をマトリックスで表す説明図である。図７に示す遊技機用検出装置（以下単に検出装置ともいう）１００’の不正検出部５０’には、施錠装置１ｂの近傍に設置され（図１参照）、ガラス扉２が開放された（内枠１ａとの間に隙間が形成された）ことを検知したときにマイクロスイッチ５３’（スイッチ回路）の接点が開く（ＯＦＦ状態となる）ように作動するするドアセンサ５２’（センサ）が設けられている。
【００６０】
すなわち、マイクロスイッチ５３’は、ドアセンサ５２’が非作動状態のときにＯＮ状態となり、作動状態のときにＯＦＦ状態となるノーマルクローズ回路（常閉回路）を構成している。したがって、不正検出部５０’は次の４つの出力電圧を発生する電圧発生回路を構成する。
【００６１】
（１）’マイクロスイッチ５３’がＯＦＦ状態のときには、不正検出部５０’は、数式１で表される異常出力電圧Ｖ１（第一の出力電圧；高電位出力電圧；この例では１０．９Ｖ）を発生する。
（２）’マイクロスイッチ５３’がＯＮ状態のときには、不正検出部５０’は、数式２で表される正常出力電圧Ｖ２（第二の出力電圧；低電位出力電圧；この例では５．７Ｖ）を発生する。
（３）ハーネスＷが断線状態、又はコネクタ５９，６９が引抜状態のときには、不正検出部５０’は、マイクロスイッチ５３’のＯＦＦ・ＯＮとは無関係に、断線出力電圧Ｖ３（第三の出力電圧；この例では１２Ｖ）を発生する。
（４）ハーネスＷが短絡状態のときには、不正検出部５０’は、マイクロスイッチ５３’のＯＦＦ・ＯＮとは無関係に、短絡出力電圧Ｖ４（第四の出力電圧；この例では０Ｖ）を発生する。
【００６２】
そして、電圧判定部６０（４値判定ＩＣ６２）は、次のようにして遊技可否判定を行う。
【００６３】
（Ａ）’不正検出部５０’から異常出力電圧Ｖ１が共通入力端子６３に入力されたとき、第一出力端子６４から第一の判定信号として異常発生信号（例えば「１」）をＣＰＵ２２（メイン基板２１）へ送信する。
（Ｂ）’不正検出部５０’から正常出力電圧Ｖ２が共通入力端子６３に入力されたとき、第一出力端子６４から第一の判定信号として正常信号（例えば「０」）をＣＰＵ２２（メイン基板２１）へ送信する。
（Ｃ）不正検出部５０’から断線出力電圧Ｖ３が共通入力端子６３に入力されたとき、第二出力端子６５から第二の判定信号として配線不良信号（例えば「１」）をＣＰＵ２２（メイン基板２１）へ送信する。
（Ｄ）不正検出部５０’から短絡出力電圧Ｖ４が共通入力端子６３に入力されたとき、第二出力端子６５から第二の判定信号として配線不良信号（例えば「１」）をＣＰＵ２２（メイン基板２１）へ送信する。
【００６４】
したがって、図８のフローチャートでは、図５（実施例１）のＳ１４を変更し、Ｓ１４’にて共通入力端子６３の入力電圧値が第二閾値電圧ＶＳ２（６Ｖ）を上回るか否かを確認する。このときの入力電圧値が第二閾値電圧ＶＳ２を上回っていれば（Ｓ１４’でＹＥＳ）、不正行為によりドアセンサ５２’が作動して、共通入力端子６３に異常出力電圧Ｖ１（１０．９Ｖ）が入力されたと判定して、Ｓ１５にて第一出力端子６４から異常発生信号（「１」）を出力する。入力電圧値が第二閾値電圧ＶＳ２以下であれば（Ｓ１４’でＮＯ）、ドアセンサ５２’は非作動で、共通入力端子６３に正常出力電圧Ｖ２（５．７Ｖ）が入力されたと判定して、Ｓ１６にて第一出力端子６４から正常信号（「０」）を出力する（図９参照）。
【００６５】
このように、磁気センサ５２のリードスイッチ５３のようにノーマルオープン回路（常開回路）で構成される場合、及びドアセンサ５２’のマイクロスイッチ５３’のようにノーマルクローズ回路（常閉回路）で構成される場合のいずれであっても、すべての遊技可否判定が同時に実行でき、スイッチ回路の種別によって回路構成を変更したり切り換えたりする必要がないため、簡易な回路構成で汎用性を高め、コスト低減を図ることができる。
【００６６】
（実施例２）
図１０は、本発明に係る検出装置の他の例を示す回路図、図１１は４値判定ＩＣによる遊技可否判定処理の他の例を示すフローチャート、図１２は図１１のフローチャートに基づく遊技可否判定の結果をマトリックスで表す説明図である。図１０に示す遊技機用検出装置（以下単に検出装置ともいう）２００は、複数（例えば２個）の不正検出部１５０Ａ，１５０Ｂと単一の電圧判定部１６０とを備えている。不正検出部１５０Ａ，１５０Ｂ毎に個別に設けられたハーネスＷＡ，ＷＢ（配線）を介して、各不正検出部１５０Ａ，１５０Ｂと電圧判定部１６０とは接続されている。
【００６７】
一方の不正検出部である磁気不正検出部１５０Ａには、複数（例えば２個）の磁気センサ１５２Ａ１，１５２Ａ２（センサ）の作動と各々連動するリードスイッチ１５３Ａ１，１５３Ａ２（スイッチ回路）が磁気センサ基板１５１Ａ（検出回路基板）に実装されている。第一磁気センサ１５２Ａ１はスタートチャッカ７（始動口）の近傍に設置され、第二磁気センサ１５２Ａ２はアタッカ８（始動口）の近傍に設置されている（図１参照）。
【００６８】
磁気不正検出部１５０Ａにおいて、第一及び第二リードスイッチ１５３Ａ１，１５３Ａ２は並列接続され、それぞれのリードスイッチ１５３Ａ１，１５３Ａ２は、対応する磁気センサ１５２Ａ１，１５２Ａ２が非作動状態のときにＯＦＦ状態となり、作動状態のときにＯＮ状態となるノーマルオープン回路（常開回路）を構成している。また、第二プルダウン抵抗ＲＤ２は、並列接続された２列のリードスイッチ１５３Ａ１，１５３Ａ２と直列状に接続されている。ハーネスＷＡは、磁気センサコネクタ１５９Ａ（検出回路コネクタ）及び磁気センサ側ＩＣコネクタ１６９Ａ（判定回路コネクタ）の間に配置され、磁気センサ基板１５１Ａに実装されたリードスイッチ１５３Ａ１，１５３Ａ２と、電圧判定部１６０のＩＣ基板１６１（判定回路基板）に実装された４値判定ＩＣ１６２とを接続している。
【００６９】
他方の不正検出部である電波不正検出部１５０Ｂには、電波センサ１５２Ｂ（センサ）の作動と連動するバイポーラＮＰＮ型トランジスタ１５３Ｂ（スイッチ回路）が電波センサ基板１５１Ｂ（検出回路基板）に実装されている。この電波センサ１５２Ｂはメイン基板２１（主制御基板）の近傍に設置されて、違法電波が発射されたことを電界強度で検知する（図１参照）。
【００７０】
電波不正検出部１５０Ｂにおいて、トランジスタ１５３Ｂは、電波センサ１５２Ｂが非作動状態のときにＯＦＦ状態となり、作動状態のときにＯＮ状態となるノーマルオープン回路（常開回路）を構成している。具体的には、電波センサ１５２Ｂが違法電波を検知して作動すると、入力信号がトランジスタ１５３Ｂのベースに印加され、コレクタからエミッタに作動電流（コレクタ電流）が流れ、スイッチＯＮ状態となる。すなわち、トランジスタ１５３Ｂは、オープンコレクタ出力回路（エミッタホロワ回路や共通コレクタと呼ぶ場合もある）として構成されている。ハーネスＷＢは、電波センサコネクタ１５９Ｂ（検出回路コネクタ）及び電波センサ側ＩＣコネクタ１６９Ｂ（判定回路コネクタ）の間に配置され、電波センサ基板１５１Ｂに実装されたトランジスタ１５３Ｂと、電圧判定部１６０のＩＣ基板１６１（判定回路基板）に実装された４値判定ＩＣ１６２とを接続している。
【００７１】
電圧判定部１６０の４値判定ＩＣ１６２は、磁気不正検出部１５０Ａに対応して、磁気センサ共通入力端子１６３Ａ（共通入力端子）と磁気センサ第一出力端子１６４Ａ（第一出力端子）とを有する。また、４値判定ＩＣ１６２は、電波不正検出部１５０Ｂに対応して、電波センサ共通入力端子１６３Ｂ（共通入力端子）と電波センサ第一出力端子１６４Ｂ（第一出力端子）とを有する。さらに、４値判定ＩＣ１６２は、磁気不正検出部１５０Ａ及び電波不正検出部１５０Ｂに共用する形で、第二出力端子１６５を有している。
【００７２】
すでに述べたように、リードスイッチ１５３Ａ１，１５３Ａ２（又はトランジスタ１５３Ｂ）は、磁気センサ１５２Ａ１，１５２Ａ２（又は電波センサ１５２Ｂ）が非作動状態のときにＯＦＦ状態となり、作動状態のときにＯＮ状態となるノーマルオープン回路（常開回路）を構成している。したがって、磁気不正検出部１５０Ａ及び電波不正検出部１５０Ｂは、いずれも実施例１において（１）〜（４）で示した４つの出力電圧Ｖ１〜Ｖ４を発生する電圧発生回路を構成する。また、電圧判定部１６０（４値判定ＩＣ１６２）は、各不正検出部１５０Ａ，１５０Ｂにおける出力電圧Ｖ１〜Ｖ４に基づき、実施例１において（Ａ）〜（Ｄ）で示した遊技可否判定を行う。なお、４値判定ＩＣ１６２における第二の判定信号は、ハーネスＷＡ，ＷＢのいずれが断線状態・短絡状態であっても、すべて配線不良信号となる。
【００７３】
次に、図１１に示すフローチャートにより、４値判定ＩＣによる遊技可否判定処理を説明する。図１２は４値判定ＩＣ１６２による遊技可否判定をマトリックスで表したものである。
【００７４】
図１１のＳ１１１にて、４値判定ＩＣ１６２は、共通入力端子１６３Ａ又は１６３Ｂの入力電圧値が第三閾値電圧ＶＳ３（１１Ｖ）を上回るか否かを確認する。このときの入力電圧値が第三閾値電圧ＶＳ３を上回っていれば（Ｓ１１１でＹＥＳ）、不正行為によりハーネスＷＡ，ＷＢが断線状態（又はコネクタ１５９Ａ，１５９Ｂ，１６９Ａ，１６９Ｂが引抜状態）とされ、共通入力端子１６３３Ａ又は１６３Ｂに断線出力電圧Ｖ３（１２Ｖ）が入力されたと判定して、Ｓ１１２にて第二出力端子１６５から配線不良信号（「１」）を出力する。入力電圧値が第三閾値電圧ＶＳ３以下であれば（Ｓ１１１でＮＯ）、Ｓ１１３にて共通入力端子１６３Ａ又は１６３Ｂの入力電圧値が第一閾値電圧ＶＳ１（１Ｖ）を下回るか否かを確認する。このときの入力電圧値が第一閾値電圧ＶＳ１を下回っていれば（Ｓ１１３でＹＥＳ）、不正行為によりハーネスＷＡ，ＷＢが短絡状態とされ、共通入力端子１６３Ａ又は１６３Ｂに短絡出力電圧Ｖ４（０Ｖ）が入力されたと判定して、Ｓ１１２にて第二出力端子１６５から配線不良信号（「１」）を出力する。
【００７５】
入力電圧値が第一閾値電圧ＶＳ１以上であれば（Ｓ１１３でＮＯ）、Ｓ１１４にて磁気センサ共通入力端子１６３Ａの入力電圧値が第二閾値電圧ＶＳ２（６Ｖ）を下回るか否かを確認する。このときの入力電圧値が第二閾値電圧ＶＳ２を下回っていれば（Ｓ１１４でＹＥＳ）、不正行為により磁気センサ１５２Ａ１，１５２Ａ２が作動して、磁気センサ共通入力端子１６３Ａに異常出力電圧Ｖ２（５．７Ｖ）が入力されたと判定して、Ｓ１１５にて磁気センサ第一出力端子１６４Ａから異常発生信号（「１」）を出力する。入力電圧値が第二閾値電圧ＶＳ２以上であれば（Ｓ１１４でＮＯ）、磁気センサ１５２Ａ１，１５２Ａ２は非作動で、磁気センサ共通入力端子１６３Ａに正常出力電圧Ｖ１（１０．９Ｖ）が入力されたと判定して、Ｓ１１６にて磁気センサ第一出力端子１６４Ａから正常信号（「０」）を出力する。
【００７６】
次いで、Ｓ１１７にて電波センサ共通入力端子１６３Ｂの入力電圧値が第二閾値電圧ＶＳ２（６Ｖ）を下回るか否かを確認する。このときの入力電圧値が第二閾値電圧ＶＳ２を下回っていれば（Ｓ１１７でＹＥＳ）、不正行為により電波センサ１５２Ｂが作動して、電波センサ共通入力端子１６３Ｂに異常出力電圧Ｖ２（５．７Ｖ）が入力されたと判定して、Ｓ１１８にて電波センサ第一出力端子１６４Ｂから異常発生信号（「１」）を出力する。入力電圧値が第二閾値電圧ＶＳ２以上であれば（Ｓ１１７でＮＯ）、電波センサ１５２Ｂは非作動で、電波センサ共通入力端子１６３Ｂに正常出力電圧Ｖ１（１０．９Ｖ）が入力されたと判定して、Ｓ１１９にて電波センサ第一出力端子１６４Ｂから正常信号（「０」）を出力する。
【００７７】
このように、異種のセンサ１５２Ａ１，１５２Ａ２，１５２Ｂに対して複数の不正検出部１５０Ａ，１５０Ｂを要しても電圧判定部１６０は単一構成ですみ、簡素な回路構成を維持できる。しかも、第二出力端子１６５は各不正検出部１５０Ａ，１５０Ｂに対して共用化されるので、電圧判定部１６０を一層簡素に回路構成できる。
【００７８】
なお、変形例（図７〜図９）及び実施例２（図１０〜図１２）において、実施例１（図１〜図６）と共通する機能を有する部分には同一符号を付して説明を省略する。
【００７９】
以上では第１種パチンコ機についてのみ説明したが、本発明はその他のパチンコ機、さらにはスロットマシン等の他の遊技機にも適用できる。また、本発明の検出装置には、磁気センサ、ドアセンサ、電波センサ以外に、各種のセンサを用いることができる。
【符号の説明】
【００８０】
１          第１種パチンコ機（パチンコ機；遊技機）
１ａ        内枠
１ｂ        施錠装置
２          ガラス扉
５          発射操作ハンドル
６          液晶表示部（可変表示手段）
７          スタートチャッカ（始動口）
８          アタッカ（大入賞口）
２１        メイン基板（主制御基板）
２２        ＣＰＵ（制御部）
４０        スピーカ
４３        発射装置
５０，５０’  不正検出部
５１        センサ基板（検出回路基板）
５２        磁気センサ（センサ）
５２’      ドアセンサ（センサ）
５３        リードスイッチ（スイッチ回路）
５３’      マイクロスイッチ（スイッチ回路）
５９        センサコネクタ（検出回路コネクタ）
６０        電圧判定部
６１        ＩＣ基板（判定回路基板）
６２        ４値判定ＩＣ
６３        共通入力端子
６４        第一出力端子
６５        第二出力端子
６９        ＩＣコネクタ（判定回路コネクタ）
１００，１００’  検出装置（遊技機用検出装置）
１５０Ａ    磁気不正検出部（不正検出部）
１５１Ａ    磁気センサ基板（検出回路基板）
１５２Ａ１  第一磁気センサ（センサ）
１５３Ａ１  第一リードスイッチ（スイッチ回路）
１５２Ａ２  第二磁気センサ（センサ）
１５３Ａ２  第二リードスイッチ（スイッチ回路）
１５９Ａ    磁気センサコネクタ（検出回路コネクタ）
１５０Ｂ    電波不正検出部（不正検出部）
１５１Ｂ    電波センサ基板（検出回路基板）
１５２Ｂ    電波センサ（センサ）
１５３Ｂ    バイポーラＮＰＮ型トランジスタ（スイッチ回路）
１５９Ｂ    電波センサコネクタ（検出回路コネクタ）
１６０      電圧判定部
１６１      ＩＣ基板（判定回路基板）
１６２      ４値判定ＩＣ
１６３Ａ    磁気センサ共通入力端子（共通入力端子）
１６３Ｂ    電波センサ共通入力端子（共通入力端子）
１６４Ａ    磁気センサ第一出力端子（第一出力端子）
１６４Ｂ    電波センサ第一出力端子（第一出力端子）
１６５      第二出力端子
１６９Ａ    磁気センサ側ＩＣコネクタ（判定回路コネクタ）
１６９Ｂ    電波センサ側ＩＣコネクタ（判定回路コネクタ）
２００      検出装置（遊技機用検出装置）
ＰＳ        直流電源
ＲＵ        プルアップ抵抗
ＲＤ１      第一プルダウン抵抗
ＲＤ２      第二プルダウン抵抗
Ｖ１        高電位出力電圧（第一の出力電圧）
Ｖ２        低電位出力電圧（第二の出力電圧）
Ｖ３        断線出力電圧（第三の出力電圧）
Ｖ４        短絡出力電圧（第四の出力電圧）
ＶＰＳ      電源電圧
ＶＳ１      第一閾値電圧
ＶＳ２      第二閾値電圧
ＶＳ３      第三閾値電圧
Ｗ，ＷＡ，ＷＢ  ハーネス（配線）
【図１】
2011254978.tif 000005
【図２】
2011254978.tif 000006
【図３】
2011254978.tif 000007
【図４】
2011254978.tif 000008
【図５】
2011254978.tif 000009
【図６】
2011254978.tif 000010
【図７】
2011254978.tif 000011
【図８】
2011254978.tif 000012
【図９】
2011254978.tif 000013
【図１０】
2011254978.tif 000014
【図１１】
2011254978.tif 000015
【図１２】
2011254978.tif 000016